(57)【要約】      （修正有）【課題】簡単な印刷作業で立体感のある刺繍模様の布製品を提供する。【解決手段】ポリエステル生地に文字又は図形を昇華印刷したものであり、文字又は図形にはその境界線を略垂直状に横切るように所要数の糸模様を配置し、この糸模様を境界線の外側に僅かに突出させる。【選択図】図２
0003169883.tif 000002
【実用新案登録請求の範囲】
【請求項１】
ポリエステル生地に文字又は図形を昇華印刷したものであり、前記文字又は図形にはその境界線を略垂直状に横切るように所要数の糸模様を配置し、この糸模様を前記境界線の外側に僅かに突出させたことを特徴とする刺繍印刷布製品。
【請求項２】
前記文字又は図形は前記糸模様から構成されていることを特徴とする請求項１の刺繍印刷布製品。
【請求項３】
前記文字又は図形における前記糸模様の間に陰影模様を表示したことを特徴とする請求項１の刺繍印刷布製品。
【考案の詳細な説明】
【技術分野】
【０００１】
この考案は刺繍印刷布製品に関し、例えば、運動用ユニフォーム、ハンカチ等に刺繍の代用として使用されるものである。
【背景技術】
【０００２】
従来における運動用ユニフォーム、ハンカチ等の布製品は、布地に文字又は図形を刺繍によって表現することにより、その装飾デザイン性を高めていた。
【０００３】
【特許文献１】特開２００５−２４８３７８号公報
【考案の開示】
【考案が解決しようとする課題】
【０００４】
しかしながら、文字又は図形等を刺繍のよって表現することは、刺繍縫いの縫製作業が必要であるとともに模様にあわせて刺繍糸を用意しなければならず、この結果、前記布製品を製造に手間がかかり、ひいては、生産コストが高額化にならざるを得ないという不都合を有した。
【０００５】
この考案の課題は前記不都合を解消することである。
【課題を解決するための手段】
【０００６】
この課題を達成するために、この考案に係る刺繍印刷布製品においては、ポリエステル生地に文字又は図形を昇華印刷したものであり、前記文字又は図形にはその境界線を略垂直状に横切るように所要数の糸模様を配置し、この糸模様を前記境界線の外側に僅かに突出させたものである。
【０００７】
この場合、前記文字又は図形は前記糸模様から構成することもできる。
【０００８】
また、前記文字又は図形における前記糸模様の間に陰影模様を表示することもできる。
【考案の効果】
【０００９】
この考案に係る刺繍印刷布製品は上記のように構成されているため、即ち、ポリエステル生地に文字又は図形を昇華印刷したものであり、前記文字又は図形にはその境界線を略垂直状に横切るように所要数の糸模様を配置し、この糸模様を前記境界線の外側に僅かに突出させているため、文字又は図形の部分が昇華印刷によって野球用ユニフォーム２繊維の風合が出る結果、前記糸模様は恰も前記文字又は図形の少なくとも境界部を構成する縫い目のように表現され、ひいては、印刷によって刺繍の施された如き表現をすることができるものである。
【００１０】
よって、この刺繍印刷布製品を使用すれば、刺繍作業を行っていた従来と異なり、簡単な印刷作業による生産コストで刺繍模様の布製品を提供することができる。
【００１１】
この場合、前記文字又は図形は前記糸模様から構成すれば、
前記文字又は図形全体が刺繍模様である布製品を提供することができる。
【００１２】
また、前記文字又は図形における前記糸模様の間に陰影模様を表示すれば、さらに立体感のある刺繍模様を表現することができる。
【考案を実施するための最良の形態】
【００１３】
この考案に係る「刺繍印刷布製品」において、「ポリエステル生地」は織布であることが望ましい。ここで使用する昇華印刷は昇華インクを使用した通常の昇華印刷である。前記文字又は図形全体を前記糸模様から構成することもできる。この「糸模様」は、文字又は図形の境界を横切るように略垂直状に表現されている。この場合、文字又は図形の境界の外側には僅かに突出しているのみである。
更に、前記文字又は図形における前記糸模様の間には、左上方から光が指した状態の陰影模様が表示されている。
【実施例１】
【００１４】
以下、図面に基づいてこの考案の実施例を説明する。
【００１５】
図１はこの考案に係る刺繍印刷布製品の実施例の正面図、図２は図１におけるII部拡大図、図３は図２に相当する他の実施例の図である。
【００１６】    図１において、１は野球用ユニフォームであり、この考案の「刺繍印刷布製品」に相当する。この野球用ユニフォーム１はポリエステル生地（職布）によって縫製されている。２は胸マーク「（公序良俗違反につき、不掲載）」であり、前記野球用ユニフォーム１の胸部に昇華印刷によって表示されている。この胸マーク２はこの考案の「文字又は図形」に相当し、昇華印刷であるため、印刷部分にもポリエステル生地（職布）の繊維の風合が出る。【００１７】
図２に基づいて、前記胸マーク２の一部について詳述する。
【００１８】
図において、２１は前記胸マーク２の「R」の文字である。２３，２３，…は糸模様であり、前記「R」の文字２１の境界２４を略垂直状に横切るように配置されている。この糸模様２３，２３，…は前記「R」の文字３１の境界の外側に僅かに突出している。この実施例は前記「R」の文字２１全体を前記糸模様２３，２３，…から構成したものであるが、図３に示すように中心部２５を除いて周囲のみを糸模様２３，２３，…とすることもできる。
【００１９】
２６は陰影模様であり、前記「R」の文字２１における前記糸模様２３，２３，…の間に表示されている。この陰影模様２６は左上方から光が照射された場合を想定している。
前記胸マーク３については、前記「R」の文字３１についてのみ説明したが、他の文字「E」「W」、「A」及び「D」も同様に昇華印刷されている。
【産業上の利用可能性】
【００２０】
この考案に係る刺繍印刷布製品は、刺繍作業を行っていた従来と異なり、簡単な印刷作業による生産コストで刺繍模様の布製品を提供することができる。よって、利用可能性は極めて高いものである。
【図面の簡単な説明】
【００２１】
【図１】図１はこの考案に係る刺繍印刷布製品の実施例の正面図である。
【図２】図２は図１におけるII部拡大図である。
【図３】図３は図２に相当する他の実施例の図である。
【符号の説明】
【００２２】    １  …  野球用ユニフォーム（刺繍印刷布製品）    ２  …  胸マーク「（公序良俗違反につき、不掲載）」（文字又は図形）    ２１  …  「R」の文字    ２３  …  糸模様    ２４  …  境界    ２５  …  文字中心部    ２６  …  陰影模様 
【図１】
0003169883.tif 000003
【図２】
0003169883.tif 000004
【図３】
0003169883.tif 000005
【手続補正書】
【提出日】平成23年6月16日(2011.6.16)
【手続補正１】
【補正対象書類名】明細書
【補正対象項目名】全文
【補正方法】変更
【補正の内容】
【考案の詳細な説明】
【技術分野】
【０００１】
この考案は刺繍印刷布製品に関し、例えば、運動用ユニフォーム、ハンカチ等に刺繍の代用として使用されるものである。
【背景技術】
【０００２】
従来における運動用ユニフォーム、ハンカチ等の布製品は、布地に文字又は図形を刺繍によって表現することにより、その装飾デザイン性を高めていた。
【０００３】
【特許文献１】特開２００５−２４８３７８号公報
【考案の開示】
【考案が解決しようとする課題】
【０００４】
しかしながら、文字又は図形等を刺繍のよって表現することは、刺繍縫いの縫製作業が必要であるとともに模様にあわせて刺繍糸を用意しなければならず、この結果、前記布製品を製造に手間がかかり、ひいては、生産コストが高額化にならざるを得ないという不都合を有した。
【０００５】
この考案の課題は前記不都合を解消することである。
【課題を解決するための手段】
【０００６】
この課題を達成するために、この考案に係る刺繍印刷布製品においては、ポリエステル生地に文字又は図形を昇華印刷したものであり、前記文字又は図形にはその境界線を略垂直状に横切るように所要数の糸模様を配置し、この糸模様を前記境界線の外側に僅かに突出させたものである。
【０００７】
この場合、前記文字又は図形は前記糸模様から構成することもできる。
【０００８】
また、前記文字又は図形における前記糸模様の間に陰影模様を表示することもできる。
【考案の効果】
【０００９】
この考案に係る刺繍印刷布製品は上記のように構成されているため、即ち、ポリエステル生地に文字又は図形を昇華印刷したものであり、前記文字又は図形にはその境界線を略垂直状に横切るように所要数の糸模様を配置し、この糸模様を前記境界線の外側に僅かに突出させているため、文字又は図形の部分が昇華印刷によって野球用ユニフォーム２繊維の風合が出る結果、前記糸模様は恰も前記文字又は図形の少なくとも境界部を構成する縫い目のように表現され、ひいては、印刷によって刺繍の施された如き表現をすることができるものである。
【００１０】
よって、この刺繍印刷布製品を使用すれば、刺繍作業を行っていた従来と異なり、簡単な印刷作業による生産コストで刺繍模様の布製品を提供することができる。
【００１１】
この場合、前記文字又は図形は前記糸模様から構成すれば、
前記文字又は図形全体が刺繍模様である布製品を提供することができる。
【００１２】
また、前記文字又は図形における前記糸模様の間に陰影模様を表示すれば、さらに立体感のある刺繍模様を表現することができる。
【考案を実施するための最良の形態】
【００１３】
この考案に係る「刺繍印刷布製品」において、「ポリエステル生地」は織布であることが望ましい。ここで使用する昇華印刷は昇華インクを使用した通常の昇華印刷である。前記文字又は図形全体を前記糸模様から構成することもできる。この「糸模様」は、文字又は図形の境界を横切るように略垂直状に表現されている。この場合、文字又は図形の境界の外側には僅かに突出しているのみである。
更に、前記文字又は図形における前記糸模様の間には、左上方から光が指した状態の陰影模様が表示されている。
【実施例１】
【００１４】
以下、図面に基づいてこの考案の実施例を説明する。
【００１５】
図１はこの考案に係る刺繍印刷布製品の実施例の正面図、図２は図１におけるII部拡大図、図３は図２に相当する他の実施例の図である。
【００１６】
図１において、１は野球用ユニフォームであり、この考案の「刺繍印刷布製品」に相当する。この野球用ユニフォーム１はポリエステル生地（職布）によって縫製されている。２は胸マーク「RE」であり、前記野球用ユニフォーム１の胸部に昇華印刷によって表示されている。この胸マーク２はこの考案の「文字又は図形」に相当し、昇華印刷であるため、印刷部分にもポリエステル生地（職布）の繊維の風合が出る。
【００１７】
図２に基づいて、前記胸マーク２の一部について詳述する。
【００１８】
図において、２１は前記胸マーク２の「R」の文字である。２３，２３，…は糸模様であり、前記「R」の文字２１の境界２４を略垂直状に横切るように配置されている。この糸模様２３，２３，…は前記「R」の文字３１の境界の外側に僅かに突出している。この実施例は前記「R」の文字２１全体を前記糸模様２３，２３，…から構成したものであるが、図３に示すように中心部２５を除いて周囲のみを糸模様２３，２３，…とすることもできる。
【００１９】
２６は陰影模様であり、前記「R」の文字２１における前記糸模様２３，２３，…の間に表示されている。この陰影模様２６は左上方から光が照射された場合を想定している。
前記胸マーク３については、前記「R」の文字３１についてのみ説明したが、他の文字「E」も同様に昇華印刷されている。
【産業上の利用可能性】
【００２０】
この考案に係る刺繍印刷布製品は、刺繍作業を行っていた従来と異なり、簡単な印刷作業による生産コストで刺繍模様の布製品を提供することができる。よって、利用可能性は極めて高いものである。
【図面の簡単な説明】
【００２１】
【図１】図１はこの考案に係る刺繍印刷布製品の実施例の正面図である。
【図２】図２は図１におけるII部拡大図である。
【図３】図３は図２に相当する他の実施例の図である。
【符号の説明】
【００２２】
１  …  野球用ユニフォーム（刺繍印刷布製品）
２  …  胸マーク「RE」（文字又は図形）
２１  …  「R」の文字
２３  …  糸模様
２４  …  境界
２５  …  文字中心部
２６  …  陰影模様
【手続補正２】
【補正対象書類名】図面
【補正対象項目名】図１
【補正方法】変更
【補正の内容】
【図１】
0003169883.tif 000006